(57)【要約】      （修正有）【課題】折りたたみ線を備えたもので、従来のプリンターで印刷可能なファイル等のカバーを形成することができる方法を提供する。【解決手段】比較的硬質な物質から作られたリーフに基づいたファイル等のカバーの製造方法であって、実現される折りたたみ線（２）に沿って、膨らみ（９）を形成する為にリーフ（１）の一方の側で、リーフ（１）の材料を型押しすることにより、該リーフ（１）に少なくとも１つの折りたたみ線（２）が設けられ、形成された膨らみ（９）はリーフ（１）の反対の側で折りたたみ線（２）に沿って反対方向に型押しされ、したがって、リーフ（１）は、折りたたみ線に沿って、再び平坦な又は実質的に平坦な状態になることを特徴とする方法である。【選択図】図３
2006082555.tif 000002
【特許請求の範囲】
【請求項１】
比較的硬質な物質から作られたリーフに基づいたファイル等のカバーの製造方法であって、実現される折りたたみ線（２）に沿って、膨らみ（９）を形成する為にリーフ（１）の一方の側で、リーフ（１）の材料を型押しすることにより、該リーフ（１）に少なくとも１つの折りたたみ線（２）が設けられ、形成された膨らみ（９）はリーフ（１）の反対の側で折りたたみ線（２）に沿って反対方向に型押しされ、したがって、リーフ（１）は、折りたたみ線に沿って、再び平坦な又は実質的に平坦な状態になることを特徴とする方法。
【請求項２】
折りたたみ線又は複数の折りたたみ線（２）に沿ってリーフ（１）を型押しする為に、金型（５）及び該金型と連動して機能する対向金型（６）が使用されることを特徴とする請求項１に記載の方法。
【請求項３】
リーフ（１）を一方の方向に加えて反対の方向にも型押しする為に、同一又は同様な金型（５）及び対向金型（６）が使用されることを特徴とする請求項２に記載の方法。
【請求項４】
折りたたみ線又は複数の折りたたみ線（２）が実現された後、リーフ（１）は平坦にされることを特徴とする請求項１に記載の方法。
【請求項５】
折りたたみ線又は複数の折りたたみ線（２）にミシン目（１６）が設けられていることを特徴とする請求項１に記載の方法。
【請求項６】
リーフ（１）がその片側又は両側に印刷可能な被覆（１１）を備えていることを特徴とする請求項１に記載の方法。
【請求項７】
被覆（１１）が、折りたたみ線又は複数の折りたたみ線（２）が実現された後に、備えられることを特徴とする請求項６に記載の方法。
【請求項８】
リーフが事前に被覆（１１）を備えていても備えていなくても、リーフ（１）がプリンターにより印刷されることを特徴とする請求項１〜７のいずれか１つに記載の方法。
【請求項９】
リーフ（１）が２つ以上の平行な折りたたみ線（２）を備えていることを特徴とする請求項１に記載の方法。
【請求項１０】
ファイル（１５、２２）のカバーを形成する為に、設けられた折りたたみ線又は複数の折りたたみ線（２）に従って、リーフ（１）が折りたたまれることを特徴とする請求項１〜９のいずれか１つに記載の方法。
【請求項１１】
リーフ（１）がリングバインダー（１５）のカバーを形成することを特徴とする請求項１０に記載の方法。
【請求項１２】
リーフ（１）が差込みファイル（２２）のカバーを形成することを特徴とする請求項１０に記載の方法。
【請求項１３】
リーフ（１）がボール紙から成ることを特徴とする請求項１に記載の方法。
【発明の詳細な説明】
【技術分野】
【０００１】
本願発明はファイル等のカバーの製造方法に関し、特にリングバインダー、差込みファイル等の型の書類及び他の紙を分類する為のファイルのカバーの製造方法に関する。
【背景技術】
【０００２】
そのようなカバーはボール紙等の比較的硬質な物質から成るリーフから作られ、ファイル等を作成する為に該リーフを特定の折りたたみ線に沿って折りたたむことによりカバーを形成することは周知である。
【０００３】
リーフの折りたたみを簡単にする為に、複数の折りたたみ線は、例えば金型及び対向金型によりボール紙製のリーフを局所的に短い距離にわたって型押しすることにより、これらの折りたたみ線に沿ってリーフを軟化させることにより事前に設けられる。
【発明の開示】
【発明が解決しようとする課題】
【０００４】
この方法の欠点は、リーフの一方の側に折りたたみ線を設けてしまうと膨らみが形成され、該膨らみが印刷を施す為にボール紙リーフがプリンターを通して給送されることを防止してしまうことである。
【０００５】
常に印刷される物質の近くに位置され、結果的に膨らみの後ろで詰まる恐れがあるので、一方の側に膨らみを備えたそのようなリーフはプリンターの給送機構を停止させ、さらにはプリンターのプリンターヘッドを損傷する可能性がある。
【０００６】
それに伴う欠点は、ファイル上に施したい印刷は事前に、即ちボール紙に折りたたみ線が設けられる前に、印刷されるか、又はそのようなリーフにも印刷可能にするために適応した給送機構及びプリンター機構を有する特別なプリンターが提供されなければならない。
【０００７】
その結果、特別に適応したプリンター、或は、印刷後に折りたたみ線を設けるための装置のどちらかへの投資が必要となる為、最終消費者又は印刷店の段階では特製の印刷を施すことは実際的に排除される。
【０００８】
たとえ特別なプリンターに投資する用意があったとしても、折りたたみ線の膨らみ上に継続する印刷を施すことはやはり不可能である。
【０００９】
本願発明の目的は、折りたたみ線を備え、かつ、従来のプリンターで印刷可能なファイル等のカバーを形成することができる方法を提供し、上記及び他の欠点を改善することである。
【課題を解決するための手段】
【００１０】
上記目的の為に、本願発明は比較的硬質な物質から作られたリーフに基づいたファイル等のカバーの製造方法であって、実現される折りたたみ線に沿って、膨らみを形成する為にリーフの一方の側で、リーフの材料を型押しすることにより、該リーフに少なくとも１つの折りたたみ線が設けられ、形成された膨らみはリーフの反対の側で折りたたみ線に沿って反対方向に型押しされ、したがって、リーフは、折りたたみ線に沿って、再び平坦な又は実質的に平坦な状態になることを特徴とする方法に関する。
【００１１】
該方法の利点は、従来のプリンター又は他の従来の印刷装置により印刷可能な一つ以上の折りたたみ線を備えた平坦なリーフが得られ、その結果、印刷店又は最終消費者の段階でも特別な投資を必要とせずに印刷を施すことができることである。
【００１２】
本願発明のもう１つの利点は、従来のプリンターにより折りたたみ線上にも継続する印刷を施すことができることである。
【００１３】
両方の操作、即ち、一方の方向にリーフを型押ししてから、反対の方向に膨らみを押し戻す為に、既存のファイルに折りたたみ線を形成する為に現在使用されている金型及び該金型と連動して機能する対向金型が好ましくは使用される。
【００１４】
したがって、本願発明による方法は、ファイルのカバーを製造する為の既存の装置を使用することができる。
【００１５】
リーフが作られた材料の種類により、プリンターが詰まったり、損傷したりする危険無しにプリンターによりリーフに印刷できることが確かであるように、リーフを折りたたみ線で平坦にすることが特定の場合には有用であり得る。
【００１６】
リーフは好ましくは一方の側又は両方の側に印刷可能な被覆を備え、該被覆は、結果として、リーフに折りたたみ線を型押しするときに更なる力が加えられるように、そして、折りたたみ線を型押しするときに被覆が損傷しないように、好ましくはリーフに折りたたみ線が設けられた後に塗布される。
【発明を実施するための最良の形態】
【００１７】
本願発明の特性をより良く説明する為に、本願発明による方法の以下の好ましい実施形態は、添付の図面を参照して、何ら限定することなく単なる例としてのみ記載されている。
【００１８】
図１は本願発明によるボール紙リーフ１等に基づいたファイルのカバーの製造方法の第１段階を示しており、該第１段階はリーフに折りたたみ線２を設けることから成り、即ち、後の段階で製造されるファイルのカバーを形成する為に該折りたたみ線に沿ってリーフを簡単に折りたたむことができるように、リーフの材料が折りたたみ線に沿って局所的に軟化されることから成る。
【００１９】
実施形態では、２つの平行な折りたたみ線２がつけられ、リーフ１の幅Ａを有する中帯３及び２つの側帯４を規定している。
【００２０】
折りたたみ線２は、金型５及び該金型と連動して機能する対向金型６により、周知の方法でリーフ１につけられ、この場合、金型５は平行なリブ７を備え、対向金型６はテーブルの形状に作られ、１つ、この場合は２つの対応する平行な溝８を互いから距離Ａの位置に、金型５の上記リブ７に対向して、備えられている。
【００２１】
該方法の該第１段階において、リーフ１は対向金型６上に置かれ、適当な方法、例えば図示されていない止めに対して一つ以上の縁でリーフを押すことにより配置される。
【００２２】
次に、金型５が対向金型６に対して、例えば図示されていない水圧スクリュージャッキにより、リーフ１の平面に対して垂直の方向に押され、その結果、図２に図示されるように、リーフ１の材料が、金型５のリブ７により対向金型６の溝８内に、折りたたみ線に沿って膨らみ９を形成するように、折りたたみ線２に沿って型押しされる。
【００２３】
このような方法で、互いから距離Ａに位置する２つの平行な折りたたみ線２が連続して実現される。
【００２４】
本願発明による該方法の次の段階では、図３に図示されるように、リーフ１は回転され、形成された膨らみ９が対向金型６の溝の上に伸びるように、対向金型６上に配置される。
【００２５】
次に、金型５が対向金型６に対して再び押され、続いて膨らみ９がこの方法で押し戻され、その結果、図４に図示されるように、金型５が後退した後、リーフ１が、折りたたみ線２に沿ってリーフ１の両方の側においても、再び平坦な、又は実際的に平坦な形状を呈し、しかしながら、リーフ１が該折りたたみ線に沿って手で簡単に折りたたむことができるくらい、リーフ１は折りたたみ線２に沿って軟化されている。
【００２６】
リーフ１が作られている材料の種類によって、リーフが完全に平坦であることを確実にする為に、例えば、図５に図示されるように、次の段階においてリーフ１を２つのローラー１０等の間で平坦化することによる、最終加工が必要になる場合がある。
【００２７】
図６に図示されるように、リーフ１は随意的に一方又は両方の側面上に印刷可能な被覆１１を施しても良く、該被覆１１は好ましくは上記段階の後に施される。とはいえ、リーフ１上に事前に、即ちリーフ１に折りたたみ線２がつけられる前に、被覆１１が施されることも排除されない。
【００２８】
処理されたリーフ１が平坦な形状を有している事実のおかげで、図７に図示されるように、次の段階において、リーフ１は、従来のプリンターヘッド１２を備えた従来のプリンターによりリーフ上に印刷可能であり、又は、可塑化装置により処理可能であり、さらには、折りたたみ線２上にも継続する印刷を施すことができる。
【００２９】
この方法でファイル等の印刷を施されたカバーが得られる。
【００３０】
次の段階において、必要であれば、製造されるファイルの付加的な部品を上記カバーに備えることもできる。
【００３１】
例として、図８は、リングバインダーの開閉装置１３の形状の付加的な部品がリベット１４等で留めることによりカバーの中帯３上に固定されている方法を示している。
【００３２】
一旦付加的な部品が取り付けられると、図９に図示されるように、２つの側帯４を互いに向かって折りたたむことにより、カバーはファイル１５に変わることができ、これらの側帯４はそれぞれファイル１５の前面リーフ及び後面リーフを形成し、中帯３は背を形成する。
【００３３】
リーフ１の硬さ及び厚さにより、図１０に図示されるように、局所的に更にリーフ１を軟化させ、したがって、これらの折りたたみ線２に沿ってリーフ１を折りたたむことを更に容易にする為に、折りたたみ線２に沿って付加的なミシン目１６を設けることが望ましい場合がある。
【００３４】
本願発明による方法によりファイルの為の他の形状及び型のカバーも実現できることは明白である。
【００３５】
例えば、図１１は、リーフ１に多数の平行な折りたたみ線２が設けられ、該折りたたみ線が多数の帯１７〜２１を規定するカバーを示し、これらの折りたたみ線２は、従来のプリンター又は可塑化装置により印刷を施すことができる完全に平坦な構造のカバーを得る為に、本願発明の上記方法により実現される。
【００３６】
図１１のようなカバーは、図１２に図示されるように、カバーを折りたたむことにより、差込みファイル２２又は周知のいわゆるポートフォリオ・ファイルを形成することを可能にし、帯１８が差込みファイル２２の背を形成し、帯１７及び１９が封止部分２３によりそれらの自由な縁に沿って互いに固定された差込みファイルの２つの壁をそれぞれ形成し、帯２１により形成されるフラップにより部分的に封をすることができる空間２４を形成する。
【００３７】
本願発明による方法が、平行な直線の折りたたみ線の構成には制限されず、異なった形状及び異なった方向による直線及び曲線の折りたたみ線を組合せることができることは明白である。
【００３８】
図においては常に長方形のリーフ１が示されているが、例えばリーフからある部分が切断又は穴開けされた更に複雑な形状を有するリーフ１に基づいてカバーを形成することが排除されないことも明白である。
【００３９】
ファイルのカバーを形成する為に、実際には、通常ボール紙リーフ１が基礎となるが、本願発明による方法を他の材料から成るリーフ１に適用することも排除されない。
【００４０】
上記方法では、折りたたみ線２を型押しし、またそれらを押戻す為に、金型５及び対向金型６が使用されているが、上記目的の為に他の手段を使用することも排除されない。
【００４１】
該方法の間にリーフ１を回転させることを避ける為に、一方の方向に折りたたみ線を型押しする為に１つの金型を使用し、その後反対方向に折りたたみ線を型押しする為に他の金型を使用するような、他の方法によりリーフ１の両側に金型を備えることもできる。
【００４２】
本願発明は、例として示し、添付の図面に示した発明による方法だけに限定されるものでは決してなく、逆に、本願発明は本願発明の範囲を逸脱することなく、あらゆる種類の変形によって使用することができる。
【図面の簡単な説明】
【００４３】
【図１】本願発明によるファイルのカバーの製造方法の第１段階の斜視略図である。
【図２】該方法の第一段階が完了した後の図１の線II−IIによる拡大断面図である。
【図３】本願発明による該方法の連続的な段階の図２と同様な拡大断面図である。
【図４】本願発明による該方法の連続的な段階の図２と同様な拡大断面図である。
【図５】本願発明による該方法の連続的な段階の図２と同様な拡大断面図である。
【図６】本願発明による該方法の連続的な段階の図２と同様な拡大断面図である。
【図７】本願発明による該方法の連続的な段階の図２と同様な拡大断面図である。
【図８】本願発明による該方法の連続的な段階の図２と同様な拡大断面図である。
【図９】本願発明による該方法の連続的な段階の図２と同様な拡大断面図である。
【図１０】図４の変形実施例を示す図である。
【図１１】本願発明の方法により作成されたカバーの変形実施例を示す図である。
【図１２】図１１のカバーに基づいて形成されたファイルを示す図である。
【符号の説明】
【００４４】
１  リーフ
２  折りたたみ線
３  中帯
４  側帯
５  金型
６  対向金型
７  リブ
８  溝
９  膨らみ
１０  ローラー
１１  被覆
１２  プリンターヘッド
１３  開閉装置
１４  リベット
１５  ファイル
１６  ミシン目
１７〜２１  帯
２２  差込みファイル
２３  封止部分
２４  空間
【図１】
2006082555.tif 000003
【図２】
2006082555.tif 000004
【図３】
2006082555.tif 000005
【図４】
2006082555.tif 000006
【図５】
2006082555.tif 000007
【図６】
2006082555.tif 000008
【図７】
2006082555.tif 000009
【図８】
2006082555.tif 000010
【図９】
2006082555.tif 000011
【図１０】
2006082555.tif 000012
【図１１】
2006082555.tif 000013
【図１２】
2006082555.tif 000014